(57)【要約】【課題】煩雑な作業を要することなく連結材の注入量を均一化すること。【解決手段】建物躯体１０の開口部１１に設けた躯体アンカー部材３０と、窓枠２０に設けた枠体アンカー部材４０の支持部４２と、これら躯体アンカー部材３０及び枠体アンカー部材４０の支持部４２を連結する連結部材とを備え、連結部材は、筒状を成し、躯体アンカー部材３０及び枠体アンカー部材４０の支持部４２の周囲を覆う状態で配設された型部材５０と、非硬化状態においては所定の粘度を有した不定形状を呈する一方、硬化した場合には所定の強度を発現する材料で構成され、非硬化状態で型部材５０の内部に注入された後に硬化される連結材６０とを備えた。【選択図】図１
2011179235.tif 000002
【特許請求の範囲】
【請求項１】
建物躯体の開口部に枠体を固定する枠体固定構造であって、
建物躯体の開口部に設けた第１固定部材と、枠体に設けた第２固定部材と、これら第１固定部材及び第２固定部材を連結する連結部材とを備え、
前記連結部材は、筒状を成し、前記第１固定部材及び前記第２固定部材の周囲を覆う状態で配設された型部材と、非硬化状態においては所定の粘度を有した不定形状を呈する一方、硬化した場合には所定の強度を発現する材料で構成され、非硬化状態で前記型部材の内部に注入された後に硬化される連結材とを備えたことを特徴とする枠体固定構造。
【請求項２】
前記型部材は、筒状を成す基部の一端に底壁部を有し、前記底壁部に形成した装着孔を介して前記第１固定部材及び前記第２固定部材のいずれか一方に保持されたものであることを特徴とする請求項１に記載の枠体固定構造。
【請求項３】
前記型部材を保持する第１固定部材もしくは第２固定部材は、周面にネジ溝を有したものであり、このネジ溝を介して前記底壁部の装着孔に螺合したことを特徴とする請求項２に記載の枠体固定構造。
【請求項４】
前記型部材は、筒状を成す基部に前記連結材を注入するための注入口を有することを特徴とする請求項１に記載の枠体固定構造。
【請求項５】
前記型部材は、少なくとも筒状を成す基部の一部を透明に構成したことを特徴とする請求項１に記載の枠体固定構造。
【請求項６】
前記第１固定部材は前記建物躯体に形成した開口部の内周面から前記枠体に向けて突出し、かつ前記第２固定部材は前記枠体の外周面から前記開口部の内周面に向けて突出し、これら第１固定部材及び第２固定部材を前記型部材の内部において互いにオーバーラップさせたことを特徴とする請求項１に記載の枠体固定構造。
【請求項７】
建物躯体の開口部に枠体を固定する枠体固定方法であって、
建物躯体の開口部に第１固定部材を設ける工程と、
前記第１固定部材を設けた建物躯体の開口部に枠体を建て込む工程と、
前記建物躯体の開口部に建て込んだ枠体において前記第１固定部材に対応する部位に第２固定部材を設け、かつこれら第１固定部材及び第２固定部材の周囲に筒状を成す型部材を配置する工程と、
前記型部材の内部に、非硬化状態においては所定の粘度を有した不定形状を呈する一方、硬化した場合には所定の強度を発現する材料で構成された連結材を注入してこれを硬化させる工程と
を含むことを特徴とする枠体固定方法。
【請求項８】
請求項１〜請求項６のいずれかに記載の枠体固定構造により建物躯体の開口部に固定された枠体を備えることを特徴とする建具。
【発明の詳細な説明】
【技術分野】
【０００１】
本発明は、枠体固定構造、枠体固定方法及び建具に関するものである。
【背景技術】
【０００２】
例えば、ＲＣ（鉄筋コンクリート）造の建物躯体に窓枠等の枠体を固定する場合には、建物躯体と枠体との間をモルタル等の充填材によって完全に固定する前に、建物躯体に対して枠体を仮固定することが行われる。こうした枠体固定方法としては、建物躯体の鉄筋もしくは鋼棒と枠体との間を溶接するものが一般的である。すなわち、建物躯体に埋設された鉄筋の一部を外部に露出させる一方、枠体にアンカー金具を取り付けた状態で建物躯体の開口部に枠体を建て込み、鉄筋とアンカー金具との間に掛け渡した差し筋（鋼棒）を介して両者を溶接するようにしたものである。
【０００３】
しかしながら、上述の枠体固定構造では、鉄筋、アンカー金具及び差し金のいずれもが溶接可能な金属でなければならないという制限がある。加えて、溶接作業を実施するためには、電源設備等の機材を準備しなければならないばかりでなく、溶接の際の熱や火花から建物の内外装を保護するための養生が必要となり、施工作業性の低下や作業コストの増大を招来するという問題がある。
【０００４】
このため、従来では、建物躯体の開口部内周面に設けた第１固定部材と、枠体の外周面に固定した第２固定部材との間を硬化性樹脂等の連結材によって連結するようにしたものが提供されている。この従来技術によれば、現場での溶接作業が不要となるため、上述した材質状の制限や施工作業性、作業コストの問題を解決することが可能となる（例えば、特許文献１参照）。
【先行技術文献】
【特許文献】
【０００５】
【特許文献１】特開２００９−１５０１７４号公報
【発明の概要】
【発明が解決しようとする課題】
【０００６】
ところで、上述した従来の固定構造にあっては、第１固定部材と第２固定部材との間に連結材を受けるための部材が設けてあるものの、連結材の注入量を枠体の全周で均一にすることはきわめて困難である。このため、連結材が過剰に注入された部位にあっては、建物躯体の開口部に流出して付着する事態が招来される一方、連結材の注入量が過小となった部位にあっては、第１固定部材と第２固定部材との連結強度に影響を与える恐れもある。もちろん、連結材の注入量を正確に監視すれば、こうした事態を防止することは可能となるものの、施工作業を煩雑化するのは否めない。
【０００７】
本発明は、上記実情に鑑みて、煩雑な作業を要することなく連結材の注入量を均一化することのできる枠体固定構造、枠体固定方法及び建具を提供することを目的とする。
【課題を解決するための手段】
【０００８】
上記目的を達成するため、本発明に係る枠体固定構造は、建物躯体の開口部に枠体を固定する枠体固定構造であって、建物躯体の開口部に設けた第１固定部材と、枠体に設けた第２固定部材と、これら第１固定部材及び第２固定部材を連結する連結部材とを備え、前記連結部材は、筒状を成し、前記第１固定部材及び前記第２固定部材の周囲を覆う状態で配設された型部材と、非硬化状態においては所定の粘度を有した不定形状を呈する一方、硬化した場合には所定の強度を発現する材料で構成され、非硬化状態で前記型部材の内部に注入された後に硬化される連結材とを備えたことを特徴とする。
【０００９】
この発明によれば、第１固定部材及び第２固定部材の周囲を筒状の型部材によって覆うようにしているため、この型部材の内部に連結材を注入しさえすれば、煩雑な作業を要することなく注入量を均一化することが可能となる。
【００１０】
また、本発明は、上述した枠体固定構造において、前記型部材は、筒状を成す基部の一端に底壁部を有し、前記底壁部に形成した装着孔を介して前記第１固定部材及び前記第２固定部材のいずれか一方に保持されたものであることを特徴とする。
【００１１】
この発明によれば、第１固定部材及び第２固定部材のいずれかに型部材を保持させた状態で作業を行うことができる。
【００１２】
また、本発明は、上述した枠体固定構造において、前記型部材を保持する第１固定部材もしくは第２固定部材は、周面にネジ溝を有したものであり、このネジ溝を介して前記底壁部の装着孔に螺合したことを特徴とする。
【００１３】
この発明によれば、固定部材に対して型部材の位置を調節することができる。
【００１４】
また、本発明は、上述した枠体固定構造において、前記型部材は、筒状を成す基部に前記連結材を注入するための注入口を有することを特徴とする。
【００１５】
この発明によれば、型部材に対する連結材の注入作業を容易に行うことができる。
【００１６】
また、本発明は、上述した枠体固定構造において、前記型部材は、少なくとも筒状を成す基部の一部を透明に構成したことを特徴とする。
【００１７】
この発明によれば、型部材に対する連結材の注入量を視認することができる。
【００１８】
また、本発明は、上述した枠体固定構造において、前記第１固定部材は前記建物躯体に形成した開口部の内周面から前記枠体に向けて突出し、かつ前記第２固定部材は前記枠体の外周面から前記開口部の内周面に向けて突出し、これら第１固定部材及び第２固定部材を前記型部材の内部において互いにオーバーラップさせたことを特徴とする。
【００１９】
この発明によれば、第１固定部材と第２固定部材との連結強度を向上させることができる。
【００２０】
また、本発明に係る枠体固定方法は、建物躯体の開口部に枠体を固定する枠体固定方法であって、建物躯体の開口部に第１固定部材を設ける工程と、前記第１固定部材を設けた建物躯体の開口部に枠体を建て込む工程と、前記建物躯体の開口部に建て込んだ枠体において前記第１固定部材に対応する部位に第２固定部材を設け、かつこれら第１固定部材及び第２固定部材の周囲に筒状を成す型部材を配置する工程と、前記型部材の内部に、非硬化状態においては所定の粘度を有した不定形状を呈する一方、硬化した場合には所定の強度を発現する材料で構成された連結材を注入してこれを硬化させる工程とを含むことを特徴とする。
【００２１】
この発明によれば、第１固定部材及び第２固定部材の周囲を筒状の型部材によって覆うようにしているため、この型部材の内部に連結材を注入しさえすれば、煩雑な作業を要することなく注入量を均一化することが可能となる。
【００２２】
また、本発明に係る建具は、請求項１〜請求項６のいずれかに記載の枠体固定構造により建物躯体の開口部に固定された枠体を備えることを特徴とする。
【００２３】
この発明によれば、煩雑な作業を要することなく枠体の全周に渡って建物躯体との連結強度が均一となる建具を提供することが可能となる。
【発明の効果】
【００２４】
本発明によれば、第１固定部材及び第２固定部材の周囲を筒状の型部材によって覆うようにしているため、この型部材の内部に連結材を注入しさえすれば、煩雑な作業を要することなく注入量を均一化することが可能となる。
【図面の簡単な説明】
【００２５】
【図１】図１は、本発明の実施の形態である枠体固定構造を適用した建具の仮固定状態を示す要部断面平面図である。
【図２】図２は、図１におけるＸ−Ｘ線断面図である。
【図３】図３は、図１に示した枠体固定構造を適用する建具の仮固定状態を示す概念図である。
【図４】図４は、図１に示した枠体固定構造に適用する第２固定部材を示すもので、（ａ）は正面図、（ｂ）は斜視図である。
【図５】図５は、図１に示した枠体固定構造に適用する型部材の外観斜視図である。
【図６−１】図６−１は、図１に示した枠体固定構造において建物躯体に第１固定部材を設けた状態を示す要部拡大図である。
【図６−２】図６−２は、図１に示した枠体固定構造において建物躯体の開口部に第２固定部材を設けた枠体を建て込んだ状態を示す要部拡大図である。
【図６−３】図６−３は、図１に示した枠体固定構造において第１固定部材及び第２固定部材の周囲を型部材によって覆った状態を示す要部拡大図である。
【図７】図７は、図１に示した枠体固定構造において建物躯体に第１固定部材を設ける手順を示す断面図である。
【図８】図８は、図４に示した第２固定部材の別の使用例を示す図である。
【発明を実施するための形態】
【００２６】
以下、添付図面を参照しながら本発明に係る枠体固定構造、枠体固定方法及び建具の好適な実施の形態について詳細に説明する。
【００２７】
図１は、本発明の実施の形態である枠体固定構造を適用した建具の要部を示したものである。ここで例示する枠体固定構造は、ＲＣ（鉄筋コンクリート）造の建物躯体１０に形成した開口部１１に窓枠（枠体）２０を固定する場合において、建物躯体１０と窓枠２０との間をモルタル等の充填材によって完全に固定する前に、図３に示すように、建物躯体１０に対して窓枠２０を仮固定するためのものである。窓枠２０は、上枠部材２１、下枠部材２２、左右一対の縦枠部材２３，２３を四周枠組みすることによって構成した矩形の枠状を成すものである。建物躯体１０の開口部１１は、窓枠２０を収容するに十分な大きさの矩形状に形成してある。この建物躯体１０の開口部１１に対して窓枠２０は、躯体アンカー部材（第１固定部材）３０、枠体アンカー部材４０、型部材５０及び連結材６０を備えた複数の固定構造ユニットによって固定してある。型部材５０及び連結材６０が、本発明の連結部材を構成するものである。
【００２８】
躯体アンカー部材３０は、図１に示すように、先端が尖った軸部３１の基端部に太径の頭部３２を有した釘状の部材であり、先端部を建物躯体１０に埋設した状態で開口部１１の内周面から突設してある。躯体アンカー部材３０の軸部３１において建物躯体１０から突出した部分には、樹脂製のカラー部材３３が装着してある。カラー部材３３は、軸方向の中央部外周面が窪んだ異形の円柱状部材である。
【００２９】
枠体アンカー部材４０は、図１及び図４に示すように、略矩形の平板状を成す基板部４１と、基板部４１において一方の長辺側縁部から基板部４１の面外方向に屈曲して延在した支持部（第２固定部材）４２とを一体に成形したものである。支持部４２は、その基端部が基板部４１の長辺に沿って延在する部分のみを有する一方、先端部が基板部４１の短辺に沿って延在する部分と長辺に沿って延在する部分とを有したＶ字状の横断面形状に構成してある。
【００３０】
基板部４１には、その中心部にネジ孔４１ａが形成してあるとともに、短辺側縁部の各中央部に係合片４３が形成してある。ネジ孔４１ａは、内周面にネジ溝を有した貫通孔であり、例えば支持部４２よりも長尺のボルト部材１４０を着脱可能に装着することが可能である。係合片４３は、基板部４１から一旦支持部４２とは反対側に向けて屈曲した後、互いに離隔する方向に向けて延在した部分であり、基板部４１との間に窓枠２０の突片２０ａを挟持することのできる間隙を構成している。窓枠２０の突片２０ａは、図１に示すように、それぞれの枠部材２１，２２，２３の各見付け面から外周方向に向けて延在した後、互いに近接する方向に屈曲した部分であり、枠部材２１，２２，２３の全周に渡って形成してある。突片２０ａの先端相互間隔は、基板部４１の長辺よりも短い距離に構成してある。図４からも明らかなように、基板部４１及び係合片４３には、個々の延在端部に互いに平行、かつ基板部４１の長辺に対して傾斜する切欠傾斜面４１ｂ，４３ａが形成してある。これらの切欠傾斜面４１ｂ，４３ａは、相互間の距離が窓枠２０に形成した突片２０ａの相互間隔よりもわずかに短い寸法に構成したものである。
【００３１】
上述の構成を有する枠体アンカー部材４０は、切欠傾斜面４１ｂ，４３ａをそれぞれ突片２０ａの先端縁に平行となる姿勢で基板部４１を突片２０ａの先端間に挿通させた後、図４において枠体アンカー部材４０を時計回りに回転させることにより、基板部４１と係合片４３との間にそれぞれ突片２０ａを挟持した状態で窓枠２０の外周面に取り付けられている。図１及び図２からも明らかなように、枠体アンカー部材４０の支持部４２は、窓枠２０に取り付けられた状態において躯体アンカー部材３０の先端部とオーバーラップするようにその長さが設定してある。
【００３２】
型部材５０は、図１及び図５に示すように、横断面が円形の筒状を成す基部５１の一端に底壁部５２を有する一方、基部５１の他端が開口したもので、半透明、もしくは透明の合成樹脂によって一体に成形してある。図からも明らかなように、型部材５０の基部５１は、底壁部５２を有した一方の端部から他方の端部に向けて漸次径が大きくなり、外形が円錐台状を成している。この型部材５０には、底壁部５２に装着孔５２ａが形成してあり、かつ基部５１に注入孔５１ａが形成してある。装着孔５２ａは、枠体アンカー部材４０の支持部４２に嵌合することのできる形状の貫通孔であり、注入孔５１ａは、枠体アンカー部材４０の基部５１を貫通する円形の開口である。
【００３３】
この型部材５０は、図１に示すように、装着孔５２ａに枠体アンカー部材４０の支持部４２を挿通させることによって支持部４２に装着された状態にあり、その基部５１が支持部４２及び躯体アンカー部材３０の周囲を覆う状態で配置されている。型部材５０は、支持部４２に対してその延在方向にスライド可能であり、基部５１の開口した端面を建物躯体１０における開口部１１の内周面に当接させた位置に配設されている。
【００３４】
連結材６０は、型部材５０の内部に充填された固体状の部材であり、型部材５０の内部において躯体アンカー部材３０と枠体アンカー部材４０の支持部４２とを連結した状態に維持している。この連結材６０は、経時硬化性もしくは熱硬化性、あるいは熱可塑性を有した合成樹脂を材料とするもので、非硬化状態においては流動性を有するとともに型部材５０の内部に注入した際に型部材５０の内部に留まるだけの粘度を有した不定形状を呈する。一方、硬化状態の連結材６０は、躯体アンカー部材３０と枠体アンカー部材４０の支持部４２とを連結した状態に維持するための強度を発現するものである。
【００３５】
以下、上述の枠体固定構造を適用して建物躯体１０の開口部１１に窓枠２０を仮固定する際の手順について図６−１、図６−２、図６−３を適宜参照しながら説明を行う。
【００３６】
この枠体固定構造では、図６−１に示すように、まず開口部１１の内周面において所望となる複数の位置にそれぞれ躯体アンカー部材３０を突設する。躯体アンカー部材３０を突設する場合には、図７に示す施工用治具１００及び打ち込み機Ｈを適用し、躯体アンカー部材３０の内周面からの突出量を均一化する。
【００３７】
施工用治具１００は、躯体アンカー部材３０の頭部３２及びカラー部材３３を挿通することのできる一方、打ち込み機Ｈのハンマー部分を挿通不可とする内径の小径孔１０１と、打ち込み機Ｈのハンマー部分を挿通することのできる内径を有し、小径孔１０１と同一の軸心上に形成した大径孔１０２とを有したものである。小径孔１０１の軸方向長さは、開口部１１の内表面から躯体アンカー部材３０を突出させた突出量に等しく形成してある。図７の（ａ）に示すように、小径孔１０１を開口部１１の内周面に当接させた状態でその内部に躯体アンカー部材３０を配置し、この状態から図７の（ｂ）に示すように、大径孔１０２を介して打ち込み機Ｈのハンマー部分によって打ち込めば、躯体アンカー部材３０の突出量が小径孔１０１の軸方向長さに一致したものとなる。躯体アンカー部材３０の突出量は、適用する型部材５０の軸方向長さより短い値に設定する。具体的には、例えば軸方向長さが２０ｍｍの型部材５０を適用する場合、躯体アンカー部材３０の突出量を１５ｍｍに設定する。
【００３８】
次いで、躯体アンカー部材３０を突設させた建物躯体１０の開口部１１に窓枠２０を建て込む。開口部１１に建て込む窓枠２０は、上枠部材２１、下枠部材２２、左右一対の縦枠部材２３，２３を四周枠組みした状態のものである。
【００３９】
次いで、図６−２に示すように、建物躯体１０の開口部１１に建て込んだ窓枠２０において各躯体アンカー部材３０に対応する部位にそれぞれ枠体アンカー部材４０を取り付ける。窓枠２０に枠体アンカー部材４０を取り付ける場合には、底壁部５２が基板部４１に対向する状態で予め支持部４２に型部材５０を装着しておく。このとき、図６−２に示すように、型部材５０を基板部４１に近接した状態に配置しておき、窓枠２０を建て込む際に型部材５０と躯体アンカー部材３０とが干渉しないようにすることが好ましい。また、型部材５０の注入孔５１ａが手前側に配置されるようにその向きを調整しておくことが好ましい。
【００４０】
次いで、図６−３に示すように、型部材５０をそれぞれ支持部４２に対してスライドさせることによって型部材５０における基部５１の開口端面を建物躯体１０に当接させ、基部５１が支持部４２及び躯体アンカー部材３０の周囲を覆う状態で躯体アンカー部材３０の突出端部をそれぞれ型部材５０の内部に収容させる。仮に、スライド代が足りない場合には、型部材５０の一部に直線状の切り込みを形成すれば良い。すなわち、枠体アンカー部材４０を横移動させて躯体アンカー部材３０を切り込み部から挿入すれば、型部材５０に収容させることができる。
【００４１】
次いで、各型部材５０に対して注入孔５１ａから非硬化状態の連結材６０を注入して型部材５０の内部に充填させる。このとき、型部材５０が半透明、もしくは透明であるため、型部材５０に対する連結材６０の注入状態を外部から容易に視認することができる。従って、型部材５０に対して連結材６０を過不足なく注入することが可能となり、型部材５０に充填される連結材６０の注入量を複数の箇所で容易に均一化することができる。
【００４２】
上述した状態で連結材６０を硬化させれば、連結材６０に所定の強度が発現することになり、躯体アンカー部材３０と枠体アンカー部材４０の支持部４２とを連結した状態に維持することができる。つまり、硬化した連結材６０によって互いに連結された躯体アンカー部材３０と枠体アンカー部材４０の支持部４２とを介して窓枠２０を建物躯体１０の開口部１１に固定することができるようになる。この場合、上述の実施の形態では、型部材５０の内部において枠体アンカー部材４０の支持部４２と、躯体アンカー部材３０の先端部とがオーバーラップしているため、これらがオーバーラップしない場合に比べて連結強度を向上させることが可能である。
【００４３】
尚、図１に示すように、建物躯体１０の開口部１１と窓枠２０との間に適宜バックアップ材Ｂを設置した状態でモルタル等の充填材を充填すれば、建物躯体１０の開口部１１に窓枠２０を完全に固定することができる。
【００４４】
上述した枠体固定構造によれば、建物躯体１０の開口部１１に窓枠２０を固定する際に溶接作業が不要となるため、電源設備等の機材を準備する作業や、熱や火花から建物の内外装を保護するための養生を設置する作業が不要となり、施工作業性の向上や作業コストの低減を図ることができる。躯体アンカー部材３０及び枠体アンカー部材４０としても、金属で成形する必要がなく、材質選定の自由度が向上するという効果も奏する。
【００４５】
しかも、躯体アンカー部材３０と枠体アンカー部材４０との間を連結する連結材６０が非硬化状態において不定形状を呈するため、これら躯体アンカー部材３０と枠体アンカー部材４０との位置ずれを吸収して両者を固定することができる。特に、上述の枠体固定構造では、躯体アンカー部材３０及び枠体アンカー部材４０の周囲を型部材５０によって覆い、かつ基部５１の開口端面を建物躯体１０に当接させるようにしているため、さらには型部材５０を半透明、もしくは透明に形成しているため、型部材５０の内部に連結材６０を注入しさえすれば、煩雑な作業を要することなく注入量を複数の箇所で均一化することが可能となる。この結果、窓枠２０の全周に渡って建物躯体１０との連結強度が等しい状態で建物躯体１０の開口部１１に窓枠２０を固定することができ、窓枠２０の内部にガラス窓等の障子（図示せず）を配設すれば、建物躯体１０に所望の建具を設置することができる。また、型部材５０の内部に連結材６０を注入する構成であるため、型部材５０の向きに関わらず注入中に連結材６０が流出する事態を防止することが可能となるばかりでなく、硬化するまでの間、躯体アンカー部材３０と枠体アンカー部材４０との間に連結材６０を確実に留めることができるようになる。
【００４６】
さらに、枠体アンカー部材４０として基板部４１と支持部４２とを一体に成形したものを適用しているため、部品点数の削減を図り、作業性の向上や製造コストの低減を図ることも可能となる。加えて、基板部４１にボルト部材１４０を螺合することのできるネジ孔４１ａを形成しているため、建物躯体１０に形成した開口部１１の内周面と窓枠２０と間の隙間が大きい箇所に対しても同じ枠体アンカー部材４０を適用することが可能である。
【００４７】
すなわち、図８に示すように、基板部４１のネジ孔４１ａに支持部４２の先端から突出する長さを有したボルト部材１４０を螺合させ、このボルト部材１４０の先端部に型部材５０を装着すれば、開口部１１の内周面と窓枠２０と間の隙間が大きい場合にも両者を固定することができるようになる（この適用例においてはボルト部材１４０が第２固定部材となる）。この場合、型部材５０の底壁部５２には、ボルト部材１４０に螺合する孔を形成すれば、型部材５０の内部に連結材６０を注入する際の圧力によってもボルト部材１４０に対して型部材５０がずれる事態を招来する恐れがなくなる。しかも、型部材５０を回転させることで注入孔５１ａの向きを変更することができるため、窓枠２０に枠体アンカー部材４０を取り付ける際に注入孔５１ａの向きが手前側にあることを確認しておく必要がなく、その作業を容易化することが可能となる。
【００４８】
尚、上述した実施の形態では、建物躯体としてＲＣ造のものを例示しているが、必ずしもＲＣ造のものに限らず、木造のもの、あるいはセメント成形版、ＡＬＣ（Ａｕｔｏｃｌａｖｅｄ  Ｌｉｇｈｔｗｅｉｇｈｔ Ａｅｒａｔｅｄ  Ｃｏｎｃｒｅｔｅ）版等、その他のものにも適用することが可能である。
【００４９】
また、上述した実施の形態では、型部材５０として横断面が円形で、かつ円錐台状のものを例示しているが、筒状であれば、その他の横断面形状のものであっても良いし、一様な横断面形状のものを適用してももちろん良い。
【００５０】
さらに、上述した実施の形態では、型部材５０を第２固定部材である枠体アンカー部材４０に保持させるようにしているが、第１固定部材に保持させても構わない。
【００５１】
またさらに、上述した実施の形態では、係合片４３を介して枠体アンカー部材４０を窓枠２０の突片２０ａに取り付けるようにしているが、枠体に第２固定部材を設ける方法としては必ずしもこれに限らない。
【００５２】
またさらに、上述した実施の形態では、躯体アンカー部材３０を建物躯体１０に打ち込むことによって設けるようにしているが、必ずしもこれに限定されず、建物躯体から外部に突出した突起物であれば、躯体アンカー部材として適用することが可能である。例えば建物躯体に埋設された鉄筋もしくは鋼棒の一部を外部に露出させれば、これを躯体アンカー部材として適用することができる。この場合、躯体アンカー部材３０の建物躯体１０への打ち込み作業を省略することができ、作業を一層容易化することが可能となる。
【符号の説明】
【００５３】
１０      建物躯体
１１      開口部
２０      窓枠
３０      躯体アンカー部材
４０      枠体アンカー部材
４２      支持部
５０      型部材
６０      連結材
１００      施工用治具
１０１      小径孔
１０２      大径孔
１４０      ボルト部材
【図１】
2011179235.tif 000003
【図２】
2011179235.tif 000004
【図３】
2011179235.tif 000005
【図４】
2011179235.tif 000006
【図５】
2011179235.tif 000007
【図６−１】
2011179235.tif 000008
【図６−２】
2011179235.tif 000009
【図６−３】
2011179235.tif 000010
【図７】
2011179235.tif 000011
【図８】
2011179235.tif 000012